(57)【要約】【課題】第２抜差管を保護する、外れにくい保護具を提供すること。【解決手段】保護具４０は管状である。このため、第２抜差管３２から外れにくい、第２抜差管３２を保護する保護具４０とすることができる。また、保護具４０の、第２抜差管３２の湾曲部３２ｃの内周側において管軸方向に沿う第１内周面４１ａと、湾曲部３２ｃの外周側において管軸方向に沿う第２内周面４１ｂとを結ぶ開口の幅が第２抜差管３２の外径よりも幅広であるため、第２抜差管３２に装着しやすくすることができる。【選択図】図３
2017173567.tif 000002
【特許請求の範囲】
【請求項１】
金管楽器の第２抜差管の円弧状の湾曲部に装着される保護具であって、
前記第２抜差管の前記湾曲部を覆う管状であり、
前記湾曲部の内周側において管軸方向に沿った第１側面部と、
前記第１側面部より長尺であって、前記湾曲部の外周側において管軸方向に沿った第２側面部と、を備え、
前記第１側面部の端部と前記第２側面部の端部とを結ぶ開口の幅は前記湾曲部の外径より幅広であることを特徴とする保護具。
【請求項２】
前記第２側面部の内周面の曲率半径は前記第２抜差管の曲率半径以上であることを特徴とする請求項１に記載の保護具。
【請求項３】
前記第２抜差管のカニ目が嵌入される嵌入凹部を備えることを特徴とする請求項１または請求項２に記載の保護具。
【請求項４】
金管楽器の第２抜差管の円弧状の湾曲部に装着される保護具であって、
前記第２抜差管の前記湾曲部に巻き付けることにより前記湾曲部を覆う平板状であり、
前記湾曲部を覆う際、前記湾曲部の内周側に配置される第１平板部と、
前記第１平板部から延伸する第２平板部と、
前記第１平板部から前記第２平板部とは反対方向に延伸する第３平板部と、を備え、
前記第２平板部および前記第３平板部は、前記湾曲部を覆う際、前記第２抜差管のカニ目が嵌入される嵌入孔を備えることを特徴とする保護具。
【請求項５】
加硫されていないゴムで形成されていることを特徴とする請求項１乃至請求項４の何れか１項に記載の保護具。
【請求項６】
前記ゴムの硬度は２０度乃至３０度の範囲であることを特徴とする請求項５に記載の保護具。
【発明の詳細な説明】
【技術分野】
【０００１】
本発明は、抜差管を備える金管楽器に装着する保護具に関するものである。
【背景技術】
【０００２】
従来、金管楽器であるピストン式のトランペットは、第１ピストンバルブ〜第３ピストンバルブ、第１ピストンバルブ〜第３ピストンバルブの各々と連続する３つの植込管、３つの植込管の各々に接続している第１抜差管〜第３抜差管などを備えている。トランペットの保護具として、植込管を保護するための保護具（プロテクター）がある（非特許文献１）。また、金管楽器であるトロンボーンのスライド管を保護するための保護具がある（非特許文献２）。
【先行技術文献】
【非特許文献】
【０００３】
【非特許文献１】amazon、“Reunion Blues TVG-34 トランペット用プロテクター”、［ｏｎｌｉｎｅ］、［平成２８年１月８日検索］、インターネット＜http://www.amazon.co.jp/dp/B00283ZCEG＞
【非特許文献２】amazon、“DEG Trombone Slide Bow Protector”、［ｏｎｌｉｎｅ］、［平成２８年１月８日検索］、インターネット＜http://www.amazon.com/DEG-Trombone-Slide-Bow-Protector/dp/B000FCCM9U＞
【発明の概要】
【発明が解決しようとする課題】
【０００４】
さて、第１抜差管〜第３抜差管のうち、第１抜差管および第３抜差管は、長手方向が、トランペットの長手方向と揃うように配置されている。これに対し、第２抜差管は、長手方向が、トランペットの長手方向とは異なって配置されている。これにより、第２抜差管は他の部分に対して、幅方向の外方に突出している構造となっている。このため、使用者が例えば床などにトランペットを置く際に、誤って第２抜差管を床などにぶつけ、破損させてしまうおそれがあった。尚、非特許文献１の保護具は、第２抜差管を保護するものではない。また、非特許文献１の保護具は、装着時、スライド管の径方向の断面形状が円弧状の形状を有しているため、外れ易いという課題があった。
【０００５】
本願は、上記の課題に鑑み提案されたものであって、第２抜差管を保護する、外れにくい保護具を提供することを目的とする。
【課題を解決するための手段】
【０００６】
（１）本願に係る保護具は、金管楽器の第２抜差管の円弧状の湾曲部に装着される保護具であって、第２抜差管の湾曲部を覆う管状であり、湾曲部の内周側において管軸方向に沿った第１側面部と、第１側面部より長尺であって、湾曲部の外周側において管軸方向に沿った第２側面部と、を備え、第１側面部の端部と第２側面部の端部とを結ぶ開口の幅は湾曲部の外径より幅広であることを特徴とする。
【０００７】
これにより、開口の幅が幅広であるため、第２抜差管に装着しやすく、管状であるため、第２抜差管から外れにくい、第２抜差管を保護する保護具とすることができる。
【０００８】
（２）また、第２側面部の内周面の曲率半径は第２抜差管の曲率半径以上であることを特徴とする。
【０００９】
これにより、保護具を第２抜差管に装着し易くすることができる。第２側面部は湾曲部の外周面に沿う部分であり、第２側面部の内周面の曲率半径とは、即ち、第２側面部の内周面の管軸方向における曲率半径である。第２抜差管は端部に湾曲部と連続する直管状の部分を有している。第２側面部の内周面の曲率半径を第２抜差管の曲率半径以上とすることにより、保護具を装着する際、第２抜差管の直管状の部分に通し易くすることができる。尚、曲率半径が大きいとは、無限大である直線をも含み、第２側面部の内周面が直線状であっても良い。また、第２側面部の内周面の一端から他端まで、一律の曲率半径を有する構成だけでなく、複数の曲率半径を有する構成としても良い。
【００１０】
（３）また、第２抜差管のカニ目が嵌入される嵌入凹部を備えることを特徴とする。これにより、カニ目を保護するとともに、保護具の第２抜差管に対する位置ずれを抑制することができる。
【００１１】
（４）本願に係る保護具は、金管楽器の第２抜差管の円弧状の湾曲部に装着される保護具であって、第２抜差管の湾曲部に巻き付けることにより湾曲部を覆う平板状であり、湾曲部を覆う際、湾曲部の内周側に配置される第１平板部と、第１平板部から延伸する第２平板部と、第１平板部から第２平板部とは反対方向に延伸する第３平板部と、を備え、第２平板部および第３平板部は、湾曲部を覆う際、第２抜差管のカニ目が嵌入される嵌入孔を備えることを特徴とする。
【００１２】
これにより、第２抜差管に装着しやすく、嵌入孔がカニ目に引っ掛かるため、第２抜差管から外れにくい、第２抜差管を保護する保護具とすることができる。
【００１３】
（５）また、加硫されていないゴムで形成されていることを特徴とする。これにより、装着しても第２抜差管が腐食されるのを抑制することができる。保護具を例えば、皮革、ウレタン、ゴムなどで形成しても良いが、例えば、シリコーンゴムなどの加硫されていないゴムで形成すると、金属製である第２抜差管の腐食が抑制されるため、特に良い。
【００１４】
（６）また、ゴムの硬度は２０度乃至３０度の範囲であることを特徴とする。これにより、外部からの衝撃を吸収するため、衝撃を第２抜差管に伝えにくい保護具とすることができる。
【発明の効果】
【００１５】
本願に係る保護具によれば第２抜差管を保護する、外れにくい保護具を提供することができる。
【図面の簡単な説明】
【００１６】
【図１】トランペットの外観を示す斜視図である。
【図２】トランペットの平面図である。
【図３】第１実施形態に係る保護具を第２抜差管に装着した状態で示す正面図である。
【図４】第１実施形態に係る保護具の正面図およびＡ−Ａ断面図である。
【図５】第２実施形態に係る保護具を第２抜差管に装着した状態で示す正面図である。
【図６】第２実施形態に係る保護具の第２抜差管に装着する前の状態を示す図である。
【発明を実施するための形態】
【００１７】
＜第１実施形態＞
図１に示すように、トランペット１は、管本体を構成するマウスピース２、ベル３、吹込管４、および主管抜差管５と、第１ピストンバルブ１１、第２ピストンバルブ１２、第３ピストンバルブ１３、第１植込管２１、第２植込管２２、第３植込管２３、第１抜差管３１、第２抜差管３２、第３抜差管３３などを備えている。以下の説明において、トランペット１の長手方向をＸ方向、第１ピストンバルブ１１の軸方向をＹ方向、Ｘ方向およびＹ方向と直交する方向をＺ方向とする。また、トランペット１の長手方向を臨み、右にベル３、左にマウスピース２となる面を正面とする。
【００１８】
ベル３を有する管体と第１植込管２１、第１植込管２１と第２植込管２２、第２植込管２２と第３植込管２３、第３植込管２３と主管抜差管５を有する管体は、各々管状の管状部（不図示）により連通されている。管状の第１植込管２１には管状の第１抜差管３１および第１ピストンバルブ１１が接続されている。第１ピストンバルブ１１が使用者により押されると、管状部へ空気を通し第１抜差管３１へ空気を通さない状態から、第１抜差管３１へ空気を通す状態へ状態が切替えられる。同様に、管状の第２植込管２２には管状の第２抜差管３２および第２ピストンバルブ１２が接続されている。管状の第３植込管２３には管状の第３抜差管３３および第３ピストンバルブ１３が接続されている。第２ピストンバルブ１２および第３ピストンバルブ１３が押されると、夫々、第２抜差管３２および第３抜差管３３へ空気を通さない状態から通す状態へ状態が切替えられる。トランペット１は、第１ピストンバルブ１１〜第３ピストンバルブ１３などにより、管体の長さが変更されて、種々の音高の音を発音するように構成されている。
【００１９】
尚、Ｕ字状に形成されている主管抜差管５、第１抜差管３１〜第３抜差管３３は、取り外し可能に構成されている。例えば、第２植込管２２は、第２抜差管３２が差し込まれる２つの接続部２２ａを有している。接続部２２ａは管状の形状を有しており、接続部２２ａの軸方向が第２植込管２２の径方向となるように形成されている。第２抜差管３２の端部は、接続部２２ａよりも小径に形成されている。これにより、第２抜差管３２が接続部２２ａに差し込まれて、第２抜差管３２は接続される。尚、第２抜差管３２が有するカニ目３２ａは、取り外しの際に指を掛けるものである。カニ目３２ａの詳細については後述する。
【００２０】
図２に示すように、第１抜差管３１および第３抜差管３３は、軸方向がＸ方向となるように設置されている。これに対し、第２抜差管３２は、軸方向がＺ方向に傾いて設置されている。これにより、第２抜差管３２は他の部分に対して、Ｚ方向に突出している構造となっている。このため、使用者が例えば床などにトランペット１を置く際に、誤って第２抜差管３２を床などにぶつけ、破損させてしまうおそれがあった。次に説明する、保護具４０，５０は第２抜差管３２を保護するものである。尚、使用者は、保護具４０，５０を第２抜差管３２に装着したまま、トランペット１を演奏することができる。
【００２１】
図３に示す様に、第２抜差管３２はカニ目３２ａ、接続部３２ｂ、および湾曲部３２ｃを有する。接続部３２ｂおよび湾曲部３２ｃは管状の形状を有している。カニ目３２ａは、第２抜差管３２の径方向に突出して形成されており、端部に径大の頭部３２ｄ（図２）を有している。直管状である接続部３２ｂは、軸が直線状であり、上記したように、第２植込管２２の接続部２２ａ（図１）より小径に形成されている。湾曲部３２ｃは、第２抜差管３２の円弧状に湾曲された部分である。また、第２抜差管３２は接続部３２ｂの管軸と平行し、湾曲部３２ｃの描く円弧状の中心を通る中心線Ｃを対象軸として線対称の形状を有している。図３および図４に示す保護具４０の取り付けは、第２植込管２２から第２抜差管３２を取り外した状態で行われる。以下、保護具４０が第２抜差管３２に装着された状態を想定して、保護具４０の説明をする。第２抜差管３２のカニ目３２ａのある面を第２抜差管３２の正面とするとともに、保護具４０の正面として説明する。
【００２２】
保護具４０は管状であり、第１側面部４０ａ、第２側面部４０ｂ、および突起部４２を有する。また、保護具４０はシリコーンゴムで形成されている。保護具４０は第２抜差管３２の中心線Ｃを対象軸として、正面視で線対称となる扇状の外形を有している。第１側面部４０ａは、湾曲部３２ｃの内周側において管軸方向に沿う部分である。第２側面部４０ｂは、湾曲部３２ｃの外周側において管軸方向に沿う部分である。第２側面部４０ｂは第１側面部４０ａより長尺である。第２側面部４０ｂの外周面の、湾曲部３２ｃの管軸方向に沿った断面形状の曲率は、第２抜差管３２の外周側の曲率と同等である。第１側面部４０ａの内周面である、第１内周面４１ａの、湾曲部３２ｃの管軸方向に沿った断面形状は円弧状である。第２側面部４０ｂの内周面である、第２内周面４１ｂの、湾曲部３２ｃの管軸方向に沿った断面における、中心線Ｃから所定距離までの断面形状の曲率は第２抜差管３２の外周側の曲率と同等である。第２内周面４１ｂの、湾曲部３２ｃの管軸方向に沿った断面における、中心線Ｃから所定距離離れた位置から端部までの断面形状は直線状である。これにより、保護具４０を第２抜差管３２に装着する際、接続部３２ｂに通し易くすることができる。ここで、所定距離とは、例えば中心線Ｃから端部までの距離の３分の１程度である。例えば、第２内周面４１ｂの、湾曲部３２ｃの管軸方向に沿った断面形状が中心線Ｃから端部に至るまで湾曲部３２ｃの外周側の曲率と同等の曲率を有する円弧状である場合には、装着の際、使用者は保護具４０を直管状である接続部３２ｂに沿わせるように変形させつつ通過させる必要が生じる。第２内周面４１ｂの端部側の断面形状が直線状であるため、使用者はより滑らかに接続部３２ｂを通過させて、保護具４０を装着することができる。また、第１内周面４１ａと第２内周面４１ｂとを結ぶ開口の幅Ｗ（図４）、即ち、第１内周面４１ａから第２内周面４１ｂまでの距離は、第２抜差管３２の外径よりも幅広に形成されている。これにより、保護具４０を第２抜差管３２に装着する際、接続部３２ｂに入れ易くすることができる。
【００２３】
突起部４２は、突起部４２が形成されていない保護具４０の外周面に対して外方に突出して形成されている。突起部４２の内周面が、突起部４２が形成されていない保護具４０の内周面よりも凹んでいる凹部４２ａである。凹部４２ａは、カニ目３２ａが嵌入されるように、第２抜差管３２の径方向におけるカニ目３２ａの高さと同等の深さを有して形成されている。これにより、保護具４０はカニ目３２ａを保護することができる。また、使用者は第２抜差管３２に対する保護具４０の位置決めを行うことができる。また、装着された後の、第２抜差管３２に対する保護具４０の位置ずれを抑制することができる。尚、保護具４０は弾性体であるシリコーンゴムで成形されているので、凹部４２ａに代えてカニ目３２ａの高さよりも浅い凹部を備え、伸ばして装着することも可能ではある。しかしながら、この場合、伸ばされた保護具が第２抜差管３２にテンションを与え、トランペット１の音の響きが悪くなるおそれがある。凹部４２ａはカニ目３２ａの高さと同等の深さを有して形成されているため、トランペット１の音の響きに影響を与えることが抑制される。
【００２４】
保護具４０を第２抜差管３２に装着することにより、例えば床などの、硬いものに第２抜差管３２がぶつけられた際には、受ける衝撃を吸収し、第２抜差管３２を保護することができる。外部からの衝撃を受け、第２抜差管３２が凹んだり、歪んだりするのを抑制することができる。また、外部から衝撃を受けた場合に、第２抜差管３２が接続されている第２植込管２２の接続部２２ａまで衝撃が伝わり、接続部２２ａと第２植込管２２との接続部付近が、破損するおそれがある。例えば、衝撃を受け、第２植込管２２が歪んでしまった場合には、第２ピストンバルブ１２が作動しなくなるおそれがある。保護具４０を第２抜差管３２に装着することにより、第２植込管２２を保護することができる。
【００２５】
さらに、保護具４０は、ゴム硬度２０度〜３０度の軟らかいシリコーンゴムで成形されている。これにより、外部からの衝撃を吸収し、第２抜差管３２を保護することができる。また、保護具４０を軟らかい材質で成形することにより、第２抜差管３２に装着しやすい保護具４０とすることができる。
【００２６】
尚、保護具４０をシリコーンゴム以外の、例えば、皮革で成形することもできるが、皮革が化学物質を用いて加工されていた場合には、化学物質が溶出して例えば腐食されるなど、第２抜差管３２に悪影響を及ぼすおそれがある。あるいは、ウレタンスポンジ、発泡ウレタンなどで成形することもできるが、ウレタンは加水分解により劣化しやすい傾向にある。あるいは、シリコーンゴム以外のゴムで成形することもできるが、特に加硫されたゴムであると、特に第２抜差管３２が例えば銀を用いてメッキされている場合には、硫黄により第２抜差管３２が腐食されて、変色してしまうおそれがある。保護具４０を放散物が少ないシリコーンゴムで成形することで、装着により、第２抜差管３２が腐食されてしまうことを回避することができる。また、耐久性に優れた保護具４０とすることができる。
【００２７】
尚、保護具４０は金型を用いて成形される。あるいは、突起部４２とその他の部分を別体で成形した後に、溶着などにより接合される。また、トランペット１の形状は製造元によらず、ほぼ一律である。このため、保護具４０は、トランペットの製造元によらず装着することができる。
【００２８】
ここで、凹部４２ａは、嵌入凹部の一例である。
【００２９】
上記した第１実施形態によれば、以下の効果を奏する。
第１内周面４１ａと第２内周面４１ｂとを結ぶ開口の幅が第２抜差管３２の外径よりも幅広であるため、第２抜差管３２に装着しやすくすることができる。また、保護具４０は管状であるため、第２抜差管３２から外れにくい、第２抜差管を保護する保護具４０とすることができる。第２側面部４０ｂの第２内周面４１ｂの、湾曲部３２ｃの管軸方向に沿った断面における、中心線Ｃから所定距離離れた位置から端部までの形状は直線状であるため、保護具４０を第２抜差管３２に装着し易くすることができる。突起部４２が形成されているため、カニ目３２ａを保護するとともに、保護具４０の第２抜差管３２に対する位置ずれを抑制することができる。保護具４０はシリコーンゴムで成形されているため、装着しても第２抜差管３２が腐食されるのを抑制することができる。さらに、シリコーンゴムの硬度を２０度〜３０度の範囲にすることにより、外部からの衝撃を吸収するため、衝撃を第２抜差管３２に伝えにくい保護具４０とすることができる。
【００３０】
＜第２実施形態＞
図５および図６に示す保護具５０は、第２抜差管３２に巻き付けられて装着される保護具である。尚、保護具５０が装着されるトランペット１は、第１実施形態と同様であるため、説明を適宜省略する。保護具５０は平板状であり、第１平板部５０ａ、第２平板部５０ｂ、第３平板部５０ｃ、第１孔５１、および第２孔５２などを備える。第１平板部５０ａは、装着時、湾曲部３２ｃの内周側に配置される。第２平板部５０ｂおよび第３平板部５０ｃは、第１平板部５０ａから延伸している。第１孔５１および第２孔５２は夫々、第２平板部５０ｂおよび第３平板部５０ｃに形成されている。第１孔５１および第２孔５２の径は、カニ目３２ａの頭部３２ｄ（図２）の径と同等、あるいは径以下となっている。これにより、第１孔５１および第２孔５２にカニ目３２ａが通された後、頭部３２ｄが引っ掛かるため、装着された保護具５０を外れにくくすることができる。尚、図５では、まず、第１孔５１をカニ目３２ａに嵌め、保護具５０を第２抜差管３２の外周面の周方向に巻き付け、第２孔５２をカニ目３２ａに嵌めて装着した状態を示している。
【００３１】
また、保護具５０は、保護具４０と同様に、ゴム硬度２０度〜３０度の軟らかいシリコーンゴムで成形されている。
【００３２】
ここで、第１孔５１および第２孔５２は、嵌入孔の一例である。
【００３３】
上記した第２実施形態によれば、以下の効果を奏する。
保護具５０は平板状あるため、第２抜差管３２に装着しやすくすることができる。また、第１孔５１および第２孔５２がカニ目３２ａに引っ掛かるため、第２抜差管３２から外れにくい、第２抜差管を保護する保護具４０とすることができる。保護具５０はシリコーンゴムで成形されているため、装着しても第２抜差管３２が腐食されるのを抑制することができる。さらに、シリコーンゴムの硬度を２０度〜３０度の範囲にすることにより、衝撃を第２抜差管３２に伝えにくい保護具５０とすることができる。
【００３４】
尚、本発明は前記実施形態に限定されるものではなく、本発明の趣旨を逸脱しない範囲内での種々の改良、変更が可能であることは言うまでもない。
保護具４０および保護具５０は、シリコーンゴムで成形されると説明したが、ウレタンスポンジ、発泡ウレタン、ゴム、熱可塑性エストラマーなどで成形されても良い。
【００３５】
また、第１実施形態において、第２内周面４１ｂの、湾曲部３２ｃの管軸方向に沿った断面における、中心線Ｃから所定距離離れた位置から端部までの形状は直線状であると説明したが、これに限定されない。第２内周面４１ｂの断面形状が円弧状であって、湾曲部３２ｃの外周側の曲率より大きな曲率を有する構成としても良い。このような構成であっても、第２抜差管３２に装着する際、接続部３２ｂに通し易い保護具とすることができる。また、第２内周面４１ｂの断面形状が、一律の曲率半径を有する構成だけでなく、複数の曲率半径を有する構成としても良い。
【００３６】
また、保護具４０はカニ目３２ａが嵌入される突起部４２を備えると説明したが、これに限定されるものではない。カニ目３２ａを覆ってカニ目３２ａを保護できる態様のものであればよい。突起部４２を備えず、例えば、保護具４０の厚さがカニ目３２ａの高さ程度に厚く、カニ目３２ａが嵌入される凹部を有する構成としても良い。
【００３７】
また、保護具４０はカニ目３２ａが嵌入される突起部４２を備えると説明したが、カニ目３２ａの位置に切り込みがある構成としても良い。
【００３８】
また、カニ目の位置が図１で示した位置とは異なる位置に形成されているトランペットがある。このため、図１で示した位置とは異なるカニ目の位置に対応する位置に、保護具４０，５０に切れ込みを入れて構成しても良い。
【００３９】
また、図３に保護具４０が装着された状態の第２抜差管３２を示しているが、保護具４０の寸法を限定するものではない。例えば、保護具４０の内周面と第２抜差管３２の外周面との間隔を、図３に示すより狭く、あるいは広い寸法としても良い。保護具４０はカニ目が嵌合される凹部４２ａを備えているため、凹部４２ａがカニ目３２ａに引っ掛かり、第２抜差管３２に対する保護具４０の位置がずれてしまわない程度に、保護具４０の内周面と第２抜差管３２の外周面との間隔を図３に示すより広げて形成しても良い。
【００４０】
また、保護具５０は平板状であると説明したが、厚さ方向の形状を限定するものではない。例えば、保護具５０の厚さ方向に湾曲した形状を有していても良い。湾曲した形状であると、管状である第２抜差管３２に沿わせて装着することができる。
【００４１】
また、第２抜差管を備える金管楽器としてトランペットを例示したが、この他に、例えばコルネットなどの第２抜差管にも適用することができる。
【符号の説明】
【００４２】
１      トランペット
２２      第２植込管
３２      第２抜差管
３２ａ      カニ目
３２ｂ      接続部
３２ｃ      湾曲部
４０、５０      保護具
４０ａ      第１側面部
４０ｂ      第２側面部
４１ａ      第１内周面
４１ｂ      第２内周面
４２      突起部
４２ａ      凹部
５０ａ      第１平板部
５０ｂ      第２平板部
５０ｃ      第３平板部
５１      第１孔
５２      第２孔
Ｗ      幅
【図１】
2017173567.tif 000003
【図２】
2017173567.tif 000004
【図３】
2017173567.tif 000005
【図４】
2017173567.tif 000006
【図５】
2017173567.tif 000007
【図６】
2017173567.tif 000008